(57)【要約】【課題】ラジアル方向に対する位置ズレを規制するとともに、ターンテーブルに対するタンジェンシャル方向の位置調整を実施しても、ラジアル方向の位置精度を高精度に確保することができるディスク再生装置におけるターンテーブルの位置決め機構を提供する。【解決手段】ＭＤを載置するターンテーブル３０と、ＭＤの音声情報を読み取るためのピックアップ５０とを備え、ターンテーブル３０を回転させるスピンドルモータ４０の取り付け板４１は、３本の取り付けネジ７０によりシャーシ２０に取り付け固定され、取り付け板４１には横長の通孔４８、４９が形成され、これら通孔４８、４９にはシャーシ２０に固設された基準ピン２１がそれぞれ嵌入され、通孔４８、４９と基準ピン２１との係合により、ターンテーブル３０に対するラジアル方向に対する移動（位置ズレ）を規制するとともに、タンジェンシャル方向に対する位置調整を精度良くおこなう。【選択図】      図３
2005149639.tif 000002
【特許請求の範囲】
【請求項１】
ディスク再生装置を構成する基体と、ディスクを載置するターンテーブルと、ディスクに記録された情報を読み取るピックアップと、前記ターンテーブルを回転させる駆動モータと、当該駆動モータを基体に固定するとともに、前記ターンテーブルの位置決めをおこなう取り付け板とを備えたディスク再生装置において、
前記基体には、前記取り付け板の位置決めをおこなう一対の基準軸が固設され、
前記取り付け板には、前記基準軸が嵌入自在であるとともに、タンジェンシャル方向に向けて横長に形成された一対の通孔が設けられ、当該通孔は、前記ターンテーブルの配設位置がラジアル方向に向けて移動することを規制する機能を備え、
前記取り付け板は、前記基体に対して複数の取り付けねじにより固定されていることを特徴とするディスク再生装置におけるターンテーブルの位置決め機構。
【請求項２】
前記一対の通孔のうち、一方の通孔の長さ寸法は、他方の通孔の長さ寸法よりも短く設定されるとともに、一方の通孔は、前記タンジェンシャル方向に対する位置決め用として、他方の通孔は、前記タンジェンシャル方向に対する逃げ孔用として機能することを特徴とする請求項１に記載のディスク再生装置におけるターンテーブルの位置決め機構。
【請求項３】
前記通孔の幅寸法は、前記基準軸の幅寸法とほぼ同一の寸法に選定されていることを特徴とする請求項１または２に記載のディスク再生装置におけるターンテーブルの位置決め機構。
【請求項４】
前記基準軸は、前記基体を構成する材料と同一の材料により一体成形されていることを特徴とする請求項１、２または３に記載のディスク再生装置におけるターンテーブルの位置決め機構。
【発明の詳細な説明】
【技術分野】
【０００１】
本発明は、車載用のオーディオ機器として利用されるＭＤ（ミニディスク）などを再生するディスク再生装置に関し、特にディスクの音声情報を再生するために、ディスクをセット（載置）するターンテーブルとピックアップとの相対的な位置決めをおこなうことのできるディスク再生装置におけるターンテーブルの位置決め機構に関する。
【背景技術】
【０００２】
近年では、自動車に備えるオーディオ機器としてＭＤ（ミニディスク）に記録された音楽を再生することのできる車載用のＭＤ再生装置が広く普及している。このＭＤ再生装置は、ＭＤディスクのディスク面に記録された情報をピックアップの対物レンズを介して読み取ることにより音声情報として再生するものである。概略的には、ピックアップによりレーザビームを対物レンズを介してディスクの記録面に照射し、このディスクから反射された反射光をＲＦ信号として取得し、このＲＦ信号をアナログ信号に変換することで、ディスクに記録された音声情報を読み取るようにしている。
【０００３】
このようなＭＤ再生装置は、ディスクの記録面に形成されたトラックの正確な位置（レーザビームの焦点）にレーザビームを照射するために、対物レンズの光軸がディスクの記録面に対して垂直となるように調整されている。また、レーザビームの焦点が正しい位置を照射しているかは、レーザビームの焦点が正しい位置からどのくらいズレているかを検出するとともに、そのズレを３つのスポットを利用して補正をおこなう３ビーム方式（トラッキング制御方式）が採用されている。
【０００４】
具体的には、対物レンズ（光軸）の移動軌跡とディスクの中心部との位置が一致するように予め調整をおこない、３点のスポット部がピックアップの移動方向に移動した際に、各スポットのピッチ間隔とディスクに形成されたトラックのピッチ間隔との間でズレ（Ｅ−Ｆ位相差）が発生しないように、対物レンズの光軸による移動軌跡がターンテーブルのほぼ中心となるような調整がおこなわれている。
【０００５】
以下、図４を参照して、従来によるターンテーブルの位置決め調整の概略を説明する。図４は、従来におけるＭＤ再生装置１０の平面図（裏面）を示しており、同図に示すように、スピンドルモータ４０には取り付け板４１が固着されており、この取り付け板４１をシャーシ２０（基体）に対して複数本（図４では、３本）の取り付けネジ７０により締結することにより、ターンテーブル３０をシャーシ２０の所定位置に固定している。そして、従来では、ターンテーブル３０のタンジェンシャル方向（図４の上下方向）とラジアル方向（図４の左右方向）に対する調整は、取り付け板４１に形成されている３個のネジ孔４２（図２参照）のガタ（０．２５mm程度の逃げ幅）を利用しておこなわれている。
【０００６】
すなわち、ＭＤを載置（セット）した状態で高速回転するターンテーブル３０は、スピンドルモータ４０の回転軸４５に固定されているため（図２参照）、シャーシ２０に対するスピンドルモータ４０の取り付け位置によりピックアップ６０との間で相対的な読み取り位置が変化する。このため、ＭＤ再生装置１０の組み立て時には、Ｅ−Ｆ位相差をＲＤ調整により調整することがおこなわれている。ＲＤ調整とは、ピックアップ６０から供給されるＥ出力およびＦ出力を、ほぼ０度となるようにする調整である。
【０００７】
すなわち、Ｅ−Ｆ位相差は、ターンテーブル３０とピックアップ５０との位置関係により発生する。このため、従来では、Ｅ−Ｆ位相差を調整するためにターンテーブル３０を回転させているスピンドルモータ４０の取り付け板４１の取り付け位置をラジアル方向およびタンジェンシャル方向に移動させる微調整をおこなっている。
【０００８】
実際には、ＭＤ再生装置１０を構成する主な部品（ターンテーブル３０、スピンドルモータ４０、スピンドルモータ４０の取り付け板４１、ピックアップ５０）を製造工場で組み付ける際には、専用の治具を使用し、Ｅ−Ｆ位相差を合わせるＲＤ調整をおこなっている。この治具によるＲＤ調整は、３本の取り付けネジ７０により取り付け板４１の固定をおこなう前の位置調整であり、具体的には、治具をセットした後、レーザビームによるディスク面からの反射光を電気的に計測し、その差分（光量の差分）をズレ量（Ｅ−Ｆ位相差）として読み取り、このＥ−Ｆ位相差をほぼ０度とする調整である。実際には、Ｅ−Ｆ位相差をほぼ０度となるまで、ネジ孔４２（図２参照）によるガタを利用してタンジェンシャル方向とラジアル方向との調整をおこない、取り付けネジ７０による締結をおこなっている。なお、調整に際して使用される治具は、通常の取り付け部の位置決めをおこなう際に使用される治具であるため、詳細な説明は省略する。
【０００９】
この種のディスクに対するタンジェンシャル方向の調整については、従来技術として、磁気ディスクの対向面に、リング状の凸部を形成し、この凸部と駆動ピンを設けたアームとの当接により、ラジアル方向への移動を規制した磁気ディスク駆動装置について記載されている（特許文献１参照）。
【００１０】
【特許文献１】特開２００１−１４８１４４号公報
【発明の開示】
【発明が解決しようとする課題】
【００１１】
しかしながら、上述した従来技術におけるディスク再生装置の場合、以下のような問題がある。すなわち、上述したように、従来では、Ｅ−Ｆ位相差を調整するために、ターンテーブル３０の位置決め調整は、３本の取り付けネジ７０による、ネジ孔４２のガタを利用して、このターンテーブル３０のラジアル方向およびタンジェンシャル方向の位置調整をおこなっている。ところが、この位置決め調整の場合、ラジアル方向およびタンジェンシャル方向に対する位置調整は、相互の移動方向により相対的に変化する。
【００１２】
すなわち、Ｅ−Ｆ位相差を調整するため、ターンテーブルのタンジェンシャル方向の位置調整を実施すると、ターンテーブルのラジアル方向の位置精度にバラツキが生じ、これにより、ディスクの内周および外周位置とピックアップの内周および外周位置にそれぞれ相対的な位置ズレが発生し、ズレの程度により音声情報の再生ができなくなるという問題が生じる。
【００１３】
そこで、この発明は、上述した従来技術による問題点を解消するためになされたものであり、ターンテーブルに対するタンジェンシャル方向の位置調整を実施しても、ラジアル方向の位置精度を高精度に確保することができるディスク再生装置におけるターンテーブルの位置決め機構を提供することを目的とする。
【課題を解決するための手段】
【００１４】
上述した課題を解決し、目的を達成するために、請求項１に係るディスク再生装置におけるターンテーブルの位置決め機構は、ディスク再生装置を構成する基体と、ディスクを載置するターンテーブルと、ディスクに記録された情報を生するピックアップと、前記ターンテーブルを回転させる駆動モータと、前記駆動モータを基体に固定するとともに、前記ターンテーブルの位置決めをおこなう取り付け板とを備えたディスク再生装置において、前記基体には、前記取り付け板の位置決めをおこなう一対の基準軸が固設され、前記取り付け板には、前記基準軸が嵌入自在であるとともに、タンジェンシャル方向に向けて横長に形成された一対の通孔が設けられ、当該通孔は、前記ターンテーブルの配設位置がラジアル方向に向けて移動することを規制する機能を備え、前記取り付け板は、前記基体に対して複数の取り付けねじにより固定されていることを特徴とする。
【００１５】
この請求項１の発明によれば、ディスク再生装置を構成する基体には、取り付け板の位置決めをおこなう一対の基準軸が固設され、取り付け板には、基準軸が嵌入自在であるとともに、タンジェンシャル方向に向けて横長に形成された一対の通孔が設けられ、これら一対の通孔と基準軸との係合により、ターンテーブルに対するラジアル方向への位置ズレ（移動）を規制する。
【００１６】
また、請求項２に係るディスク再生装置におけるターンテーブルの位置決め機構は、請求項１に記載の発明において、前記一対の通孔のうち、一方の通孔の長さ寸法は、他方の通孔の長さ寸法よりも短く設定されるとともに、一方の通孔は、前記タンジェンシャル方向に対する位置決め用として、他方の通孔は、前記タンジェンシャル方向に対する逃げ孔用として機能することを特徴とする。
【００１７】
この請求項２の発明によれば、取り付け板に形成される一対の通孔のうち、一方の寸法が短く設定された通孔は、タンジェンシャル方向に対する位置決め用として、他方の寸法が長く設定された通孔は、タンジェンシャル方向に対する逃げ孔用として使用する。
【００１８】
また、請求項３に係るディスク再生装置におけるターンテーブルの位置決め機構は、請求項１または２に記載の発明において、前記通孔の幅寸法は、前記基準軸の幅寸法とほぼ同一の寸法に選定されていることを特徴とする。
【００１９】
この請求項３の発明によれば、取り付け板に形成される通孔の幅寸法は、基準軸の幅寸法（外径寸法）とほぼ同一の寸法に選定し、この選定された幅寸法となるようにシャーシに形成されている。
【００２０】
また、請求項４に係るディスク再生装置におけるターンテーブルの位置決め機構は、請求項１、２または３に記載の発明において、前記基準軸は、前記基体を構成する材料と同一の材料により一体成形されていることを特徴とする。
【００２１】
この請求項４の発明によれば、シャーシから立設された一対の基準軸は、このシャーシを構成する材料と同一の材料により一体成形される。
【発明の効果】
【００２２】
請求項１に記載の発明によれば、ターンテーブルを高速回転させる駆動モータの取り付け板は、３本のネジによりシャーシに対して固定（締結）されるとともに、シャーシの所定位置には一対の基準ピンが立設され、取り付け板には一対の通孔が形成され、これら一対の通孔には基準めピンが嵌入されるので、一対の通孔に嵌入される基準決めピンにより、ターンテーブルの組み付け時に、このターンテーブルがラジアル方向に対する位置ズレすることを規制するとともに、タンジェンシャル方向に対する調整を正確且つ、精度良く、安定した状態でおこなうことができるという効果を奏する。この結果、ターンテーブルに対するタンジェンシャル方向の位置調整を実施しても、ラジアル方向の位置精度を高精度に確保することができるという効果を奏する。また、ピックアップによる読み取り精度にバラツキがなくなるため、音楽情報などの再生性能を向上できるという効果を奏する。
【００２３】
また、請求項２に記載の発明によれば、取り付け板に形成される一対の通孔のうち、一方の寸法の短い通孔は、タンジェンシャル方向に対する位置決め用として使用し、他方の寸法の長い通孔は、タンジェンシャル方向に対する逃げ孔用として使用することができるので、ラジアル方向に対する位置ズレを規制するとともに、タンジェンシャル方向に対する位置決め調整を安定した状態で、正確におこなうことができるという効果を奏する。
【００２４】
また、請求項３に記載の発明によれば、取り付け板に形成される通孔の幅寸法は、基準軸の幅寸法（外径寸法）とほぼ同一の寸法に選定し、この選定された幅寸法となるようにシャーシに形成するので、ターンテーブルに対するラジアル方向への移動を確実に規制することができるという効果を奏する。この結果、ターンテーブルの組み付け時に、このターンテーブルに対するラジアル方向およびタンジェンシャル方向の調整を正確且つ容易におこなうことができ、ターンテーブルに対するタンジェンシャル方向の位置調整を実施しても、ラジアル方向の位置精度を高精度に確保することができるという効果を奏する。
【００２５】
また、請求項４に記載の発明によれば、シャーシから立設された一対の基準軸は、このシャーシを構成する材料と同一の材料により一体成形するので、シャーシに対する強度を確保できるうえ、シャーシおよび基準ピンの製造を容易におこなうことができるという効果を奏する。
【発明を実施するための最良の形態】
【００２６】
以下に添付図面を参照して、この発明に係るディスク再生装置におけるターンテーブルの位置決め機構の好適な実施例を詳細に説明する。図１は、本発明に係るＭＤ再生装置１０を構成する要部を示す平面図を、図２は、図１のＡ―Ａ断面図をそれぞれ示している。ここで、図２に示す断面図では、シャーシ２０（基体）に対して取り付け板４１により固定されたスピンドルモータ４０の取り付け状態を示している。なお、以下に示す実施例によりこの発明が限定されるものではない。
【実施例１】
【００２７】
図１に示すように、ＭＤ再生装置１０は、ハウジング１１内にシャーシ２０と、ＭＤ（ミニディスク）が載置されるターンテーブル３０と、このターンテーブル３０を高速回転させるスピンドルモータ４０とＭＤに記録された情報を読み取る（再生する）ピックアップ５０とを備えて構成されている。５１は、ピックアップ５０により照射されたレーザビームを収束させて焦点を生成するための対物レンズである。このピックアップ５０は、対物レンズ５１以外に、レーザビームを発振するレーザ発信機（ＬＤ）、コリメータレンズ、ビームスプリッタ、シリンカドリカルレンズ、フォトディテクタ（ＰＤ）などを備えて構成されている。
【００２８】
また、ピックアップ５０は、シャーシ２０の内側およびピックアップ移動部６０に備えた移動レール６１により支持されている。ピックアップ５０は、ピックアップ移動部６０の作動により、ターンテーブル３０のラジアル方向（図１の左方向）に移動することにより、ＭＤ（ディスク）に記録された情報を読み取ることができる。このピックアップ移動部６０による作動は、トラッキングモータ或いはリニアモータの駆動およびサーボシステムにより制御されている。
【００２９】
上述のように構成されるディスク再生装置１０において、ＭＤは、図１のＰ方向から挿入することにより、ターンテーブル３０に載置（セット）されるとともに、このターンテーブル３０に載置された状態でスピンドルモータ４０の駆動により回転する。一方、ピックアップ５０は、ピックアップ移動部６１の作動により、図１のラジアル方向（図１の左側）に移動するとともに、ＭＤ（ディスク）に記録された記録情報の読み取りをおこなう。
【００３０】
ここで、本発明の特徴は、スピンドルモータ４０の取り付け時にラジアル方向に対する位置ズレを規制することにより、ターンテーブル３０の組み付け時に、タンジェンシャル方向に対するＲＤ調整を精度良くおこなうことにある。このため、スピンドルモータ４０をシャーシ２０に固定する取り付け板４１には、通孔４８、４９を形成するとともに、この通孔４８、４９は、シャーシ２０の所定位置に固設した一対の基準ピン２１、２１が嵌入自在となっている。
【００３１】
これにより、ターンテーブル３０の組み付け時に、ラジアル方向に対する位置ズレを通孔４８、４９に嵌入された基準ピン２１により規制することができる。そして、このラジアル方向に対する規制によりタンジェンシャル方向に対する調整を容易且つ精度良くおこなえるようにしている。
【００３２】
以下、図１、２を参照して本実施例に係るターンテーブルの位置決め機構の詳細を説明する。すなわち、図１、２に示すように、ターンテーブル３０を回転させるスピンドルモータ４０の下面部（図２の上面）には、このスピンドルモータ４０をシャーシ２０に固定するための取り付け板４１が固着されており、この取り付け板４１はシャーシ２０に対して複数本（図１では、３本）の取り付けネジ７０により締結されている。
【００３３】
また、このスピンドルモータ４０の駆動シャフト４５の上端部には、ターンテーブル３０の中心部が圧入固定されており、これにより、ターンテーブル３０は、スピンドルモータ４０の駆動により高速に回転自在となっている。
【００３４】
また、図２に示すように、取り付け板４１の所定位置（図３の３箇所位置）には、３箇所の円通孔４２が形成され、３本の取り付けネジ７０は、この取り付け板４１の円通孔４２を通じて、シャーシ２０に形成されたネジ孔２５に螺合し、締結することにより、スピンドルモータ４０をシャーシ２０の所定位置に固定（締結）することができる。
【００３５】
一方、シャーシ２０の所定位置（図２の２箇所位置）には一対の基準ピン２１が立設されており、この基準ピン２１は、スピンドルモータ４０の取付け時に、これら一対の基準ピン２１は、一対の通孔４８、４９にそれぞれ嵌入可能となっている。そして、一対の通孔４８、４９に嵌入された基準ピン２１により、ターンテーブル３０の位置決め調整時に、ラジアル方向に対するズレを規制するようにしている。
【００３６】
ここで、本例では、シャーシ２０の所定位置から立設される一対の基準ピン２１は、単独（別体）で、シャーシ２０に固設するのではなく、このシャーシ２０を構成する材料と同一の材料（例えば、樹脂製材料）により一体成形するようにしてもよい、この場合、基準ピン２１はシャーシ２０との一体成形により強度を確保できるうえ、シャーシ２０に立設する基準ピン２１の製造を容易におこなうことができる。
【００３７】
以下、さらに、本発明の特徴部分の詳細について、図３を参照して説明する。すなわち、図３に詳示するように、取り付け板４１の（図３の２箇所位置）には、一対の通孔４８、４９が形成されている。これら通孔４８、４９の形状は、取り付け板４１をタンジェンシャル方向（図３の上下方向）に移動可能となるように、横長に形成されている。
【００３８】
これら、一対の通孔４８、４９のうち、一方の通孔４８の長さ寸法ａは、他方の通孔４９の長さ寸法ｂよりも小さく（短く）なるように設定されている。これによって、一方の通孔４８は、ターンテーブル３０の位置決めの際に、タンジェンシャル方向に対する位置決め用として、他方の通孔４９は、ターンテーブル３０を移動するタンジェンシャル方向に対する逃げ孔用として使用する機能させることができる。
【００３９】
本発明のターンテーブル３０の位置決め調整は、以下の手順でおこなわれる。すなわち、先ず、従来と同様に、３本の取り付けネジ７０を、取り付け板４１の円通孔４２に挿通させるとともに、ネジ孔２５に螺合させ、仮り止めをおこなう。この時、基準ピン２１を取り付け板４１の通孔４８、４９にそれぞれ嵌入させる。次いで、治具を使用し、取付け板４１の固定位置によるターンテーブル３０の位置決めをおこなう。なお、実際には、ラジアル方向に対する位置は、通孔４８、４９に嵌入された基準ピン２１により規制されているため、３本の取り付けネジ７０による締結位置（調整）に基づいて、タンジェンシャル方向に対する位置調整を正確におこなうことができる。
【００４０】
以上説明したように、本発明のディスク再生装置におけるターンテーブルの位置決め機構では、取り付け板４１には横長の一対の通孔４８、４９が形成され、これら通孔４８、４９にはシャーシ２０に固設された基準ピン２１が嵌入され、この基準ピン２１と通孔４８、４９との係合により、ターンテーブル３０の組み付け時に、ラジアル方向に対する位置ズレ（移動）を規制するので、タンジェンシャル方向に対する調整を正確に、且つ、精度良くおこなうことができるうえ、ターンテーブルに対するタンジェンシャル方向の位置調整を実施しても、ラジアル方向の位置精度を高精度に確保することができる。
【００４１】
なお、前述した実施例１では、本発明のターンテーブルの位置決め機構をＭＤ用のＭＤ再生装置に適用するものとしているが、本発明は、ＭＤ用のＭＤ再生装置だけではなく、ＣＤ（Compact Disc）或いは、ＤＶＤ（Digital Video Disc）をディスクとする各再生機のターンテーブルの位置決め機構として適用することができる。
【産業上の利用可能性】
【００４２】
以上のように、本発明のディスク再生装置のターンテーブルの位置決め機構は、車載用のオーディオ装置として自動車に搭載されるＭＤ再生装置のターンテーブルの位置決め機構に適している。
【図面の簡単な説明】
【００４３】
【図１】本実施例に係るターンテーブルの位置決め機構が適用されるＭＤ再生装置の要部を示す概略構成図である。
【図２】図１のＡ―Ａ断面図である。
【図３】図１に示したターンテーブルの位置決め機構の詳細を示す拡大図である。
【図４】従来のＭＤ再生装置の要部を示す概略構成図である。
【符号の説明】
【００４４】
１０  ＭＤ再生装置
１１  ハウジング
２０  シャーシ
２１  基準軸
２５  ネジ孔
３０  ターンテーブル
４０  スピンドルモータ
４１  取り付け板
４２  円通孔
４５  駆動シャフト
４８、４９  通孔
５０  ピックアップ
５１  対物レンズ
６０  ピックアップ移動部
６１  移動レール
７０  取り付けネジ
【図１】
2005149639.tif 000003
【図２】
2005149639.tif 000004
【図３】
2005149639.tif 000005
【図４】
2005149639.tif 000006